(57)【要約】【課題】遅延時間の長短に関わらず映像信号（音声を含む）の正確な遅延動作を可能にし、遅延された映像信号を連続的に再生することができて、ゴルフ等のスポーツのフォーム確認に適した映像遅延表示システムを提供する。【解決手段】携帯端末装置１は、ＵＳＢメモリ装置２が装填されたことを自動認識し、このメモリ装置に記憶されているプログラムを起動して、デジタルビデオカメラ３またはＵＳＢカメラ４で撮影される被写体の映像信号を処理する。この処理には、この映像信号に対応する映像データの録画処理、遅延処理、リアルタイム再生処理、及び遅延再生処理が含まれる。この遅延処理に使用する遅延装置は、設定された遅延時間に適した記憶装置が選択される。【選択図】図１
2006324722.tif 000002
【特許請求の範囲】
【請求項１】
被写体を撮影して得られる動画像データ等に対応したデジタル信号を遅延する手段を備えた映像遅延表示システムにおいて、
情報記憶媒体を内蔵した記憶装置がコンピュータに装填されたことを検知して、前記情報記憶媒体に記憶されたコンピュータプログラムを前記コンピュータ内で起動する手段を備えると共に、
前記コンピュータプログラムにより制御される手段として、
少なくとも、前記デジタル信号の遅延時間、及び前記デジタル信号に対応したデータの再生時間を、ユーザに設定させるための設定手段と、
遅延時間に対応した複数の遅延手段と、
前記複数の遅延手段の内、前記設定手段により設定された前記遅延時間に適した遅延手段を選択する手段と、
前記デジタル信号を、前記選択された遅延手段により、前記遅延時間だけ遅延する手段と、
前記動画像データを録画する録画手段と、
前記遅延されたデジタル信号に対応するデータを、前記動画像データの録画時を挿んで連続的に再生する手段と、
前記録画及び前記再生を停止させる手段と、
録画された動画像データを、前記設定手段により設定された前記再生時間だけ連続的に再生する手段と、
前記録画を途中で停止させる手段と、
の各手段を備えていることを特徴とする映像遅延表示システム。
【請求項２】
前記遅延手段は、前記設定手段により設定された遅延時間が所定の一定値を超えない時には半導体メモリで構築されたシフトレジスタを使用し、前記遅延時間が所定の一定値を超える時にはハードディスク駆動装置を使用することを特徴とする請求項１に記載の映像遅延表示システム。
【請求項３】
前記情報記憶媒体を内蔵した記憶装置は、ＵＳＢ規格に対応した接続端子を有する装置であることを特徴とする請求項１または請求項２に記載の映像遅延表示システム。
【請求項４】
前記コンピュータは、携帯端末装置であるか、若しくは屋外に搬出可能なコンピュータであることを特徴とする請求項１乃至３の何れかの項に記載の映像遅延表示システム。
【請求項５】
被写体を撮影して得られる動画像データ等に対応したデジタル信号を遅延する手段を備えた映像遅延表示システムを制御するためのコンピュータプログラムにおいて、
少なくとも、前記デジタル信号の遅延時間、及び前記デジタル信号に対応したデータの再生時間を、ユーザに設定させるための設定ステップと、
遅延時間に対応した複数の遅延ステップと、
前記複数の遅延ステップの内、前記設定ステップにより設定された前記遅延時間に適した遅延ステップを選択するステップと、
前記デジタル信号を、前記選択された遅延ステップにより、前記遅延時間だけ遅延するステップと、
前記動画像データを録画する録画ステップと、
前記遅延されたデジタル信号に対応するデータを、前記動画像データの録画時を挿んで連続的に再生するステップと、
前記録画及び前記再生を停止させるステップと、
録画された動画像データを、前記設定ステップにより設定された前記再生時間だけ連続的に再生するステップと、
前記録画を途中で停止させるステップと、
を備えていることを特徴とするコンピュータプログラム。
【請求項６】
前記遅延ステップは、前記設定ステップの実行により設定された遅延時間が所定の一定値を超えない時には半導体メモリで構築されたシフトレジスタを制御し、前記遅延時間が所定の一定値を超える時にはハードディスク駆動装置を制御することを特徴とする請求項５に記載のコンピュータプログラム。
【請求項７】
ＵＳＢ規格対応の接続端子を有する記憶装置に内蔵された情報記憶媒体に記憶されていることを特徴とする請求項５又は６に記載のコンピュータプログラム。
【請求項８】
携帯端末装置上、若しくは屋外に搬出可能なコンピュータ上で実行されることを特徴とする請求項５乃至７の何れかの項に記載のコンピュータプログラム。
【請求項９】
請求項５乃至８の何れかの項に記載のコンピュータプログラムを記憶していると共に、コンピュータに装填された時に検知されて前記コンピュータプログラムを前記コンピュータ内で起動させる機能を有する記憶装置に内蔵されていることを特徴とする情報記憶媒体。
【請求項１０】
前記記憶装置は、ＵＳＢ規格に対応した接続端子を有する装置であることを特徴とする請求項９に記載の情報記憶媒体。
【請求項１１】
前記コンピュータは、携帯端末装置であるか、若しくは屋外に搬出可能なコンピュータであることを特徴とする請求項９又は１０に記載の情報記憶媒体。
【発明の詳細な説明】
【技術分野】
【０００１】
本発明は、映像遅延表示システム及びコンピュータプログラム並びに情報記憶媒体に係り、特に、デジタルカメラ等から送出される映像データ（以下、音声データを含むものとする）をリアルタイムでＨＤＤ（ハードディスク駆動装置）に記憶して再生することができると共に、任意の設定時間だけ遅延して再生する映像遅延表示システム、及び前記システムを制御するコンピュータプログラム、並びに前記コンピュータプログラムを記憶した情報記憶媒体に関する。
【背景技術】
【０００２】
近年、デジタルカメラ等で撮影された動画像データや、テレビ放送された動画像データ（いずれも音声データ等を含む）をリアルタイムで再生すると共に、これらの動画像データを所定時間だけ遅延させてから再生することも可能な映像遅延表示システムが開発されている。
【０００３】
一般に、このような動画像データ（映像データ）は、複数の静止画面を１画面ずつ走査して得られる複数画面分の画像データの列から成り、また、このような映像データを搬送する映像信号はデジタル化されたシリアル信号である。これらの映像信号を所定時間だけ遅延させてから出力させる手段としては、ＲＡＭ等の半導体メモリで構成したシフトレジスタを使用したり、２つの独立したヘッド（書き込み用ヘッドと読み込み用ヘッド）を有するＨＤＤ（図１２参照）を使用する手段が知られている。
【０００４】
なお、ＨＤＤ（１ヘッドでもよい）等に録画した画像データを、録画終了後に再生する処理も、一種の映像遅延処理と考えることができる。このような映像遅延手段は、ＨＤＤ内蔵のＤＶＤレコーダー等で使用されている。
【０００５】
また。ＲＡＭ等の半導体メモリで構成したシフトレジスタを使用する技術としては、例えば、ユーザが見たい映像を一瞬見逃した時などに対処できる技術として、特許文献１（特開平５−１７６２３０号公報）に開示された技術がある。
【０００６】
一方、このようなシリアル信号の送受信に適した規格として、ＵＳＢ（Universal
Serial Bus）規格が定められている。この規格は、下記の特徴を有する。
（１）  同じコネクタ（接続端子）で、最大１２７台の機器をディジー・チェーン方式で接続できる。
（２）  パソコンの電源を入れたままでコネクタに機器を接続できる。
（３）  １秒間のデータ転送速度は、最大１２〔ＭＢ〕である。
（４）  パソコンに接続した機器を自動認識することを可能にする。
【０００７】
また、近年は、このようなＵＳＢ規格を備えた接続端子に記憶媒体（メモリ）を直付けで接続した記憶装置（以下、「ＵＳＢメモリ装置」と呼称する）が開発されており、このＵＳＢメモリ装置をパソコンに装填するだけで、このＵＳＢメモリ装置に記憶されたプログラムを実行させることができるようになっている。
【０００８】
【特許文献１】特開平５−１７６２３０号公報
【発明の開示】
【発明が解決しようとする課題】
【０００９】
しかし、このような従来の映像遅延表示システムにおいては、映像信号の遅延手段として使用する遅延用デバイスの短所が考慮されていないために、実用的な映像遅延性能が得られないという問題点があった。
【００１０】
例えば、前述のＲＡＭ等の半導体メモリで構成したシフトレジスタを使用する手段の場合、書き込み動作速度が速くてリアルタイム処理に適するという利点を有する反面、画像データの情報量が膨大であるために、長時間の映像遅延を確保するには、高価な半導体メモリを大量に必要とするという問題点があり、コスト面から実現が困難であった。
【００１１】
また、前述の２つの独立したヘッドを有するＨＤＤを使用する手段の場合は、記憶容量が大きくて長時間の映像遅延を確保することができるという利点を有する反面、ＨＤＤ自体の動作速度が遅く、加えてＯＳ（オペレーティングシステム）によるバッファ制御等のオーバーヘッドが無視できないために、リアルタイム処理や瞬間的な遅延動作には適さないという問題点があった。
【００１２】
また、前述のＨＤＤ（１ヘッドでもよい）等に録画した画像データを、録画終了後に再生する手段は、一種の遅延手段には違いないが、録画処理と再生処理との間にユーザの操作を介入させることが必要となり、ユーザに労力負担が掛かるという問題点があった。さらに、この場合、遅延映像の連続的な放映（即ち、録画→遅延→表示の処理サイクルを連続的に行うこと）ができないという問題点があった。
【００１３】
このため、本発明は、遅延時間の長短に関わらず映像信号（音声を含む）の正確な遅延動作が可能な映像遅延表示システムの提供を目的とするものである。
【００１４】
また、本発明の他の目的は、ユーザの操作を介入させることなく、遅延された映像信号を連続的に再生することができて、ゴルフ等のスポーツのフォーム確認に適した映像遅延表示システムを提供することにある。
【００１５】
また、本発明の他の目的は、携帯したり、屋外に搬出したりするのに適した小型の映像遅延表示システムを提供することにある。
【００１６】
さらに、本発明の他の目的は、遅延時間の長短に関わらず映像信号の正確な遅延動作を可能にする映像遅延表示システムを制御することができるコンピュータプログラムを提供することにある。
【００１７】
また、本発明の他の目的は、ユーザの操作を介入させることなく、遅延された映像信号を連続的に再生することができて、ゴルフ等のスポーツのフォーム確認を可能にする映像遅延表示システムを制御することができるコンピュータプログラムを提供することにある。
【００１８】
また、本発明の他の目的は、携帯したり、屋外に搬出したりするのに適した小型の映像遅延表示システムを制御することができるコンピュータプログラムを提供することにある。
【００１９】
また、本発明の他の目的は、遅延時間の長短に関わらず映像信号の遅延動作を可能にする映像遅延表示システムを制御することができるコンピュータプログラムを記憶すると共に、コンピュータに装填された時に前記プログラムを自動的に前記コンピュータに実行させることができるＵＳＢ規格のコネクタを備えた情報記憶媒体を提供することにある。
【００２０】
また、本発明の他の目的は、ユーザの操作を介入させることなく、遅延された映像信号を連続的に再生することができて、ゴルフ等のスポーツのフォーム確認を可能にする映像遅延表示システムを制御することができるコンピュータプログラムを記憶すると共に、前記コンピュータに装填された時に前記プログラムを自動的にコンピュータに実行させることができるＵＳＢ規格のコネクタを備えた情報記憶媒体を提供することにある。
【００２１】
さらに、本発明の他の目的は、遅延時間の長短に関わらず映像信号の遅延動作を可能にする映像遅延表示システムを制御することができるコンピュータプログラムを記憶すると共に、コンピュータに装填された時に前記プログラムを自動的に前記コンピュータに実行させることができるＵＳＢ規格のコネクタを備えた情報記憶媒体を提供することにある。
【課題を解決するための手段】
【００２２】
本発明は、上記した従来の映像遅延表示システムの課題に鑑みてなされたものであり、被写体を撮影して得られる動画像データ等に対応したデジタル信号を遅延する手段を備えた映像遅延表示システムにおいて、情報記憶媒体を内蔵した記憶装置がコンピュータに装填されたことを検知して、前記情報記憶媒体に記憶されたコンピュータプログラムを前記コンピュータ内で起動する手段を備えると共に、前記コンピュータプログラムにより制御される手段として、少なくとも、前記デジタル信号の遅延時間、及び前記デジタル信号に対応したデータの再生時間を、ユーザに設定させるための設定手段と、遅延時間に対応した複数の遅延手段と、前記複数の遅延手段の内、前記設定手段により設定された前記遅延時間に適した遅延手段を選択する手段と、前記デジタル信号を、前記選択された遅延手段により、前記遅延時間だけ遅延する手段と、前記動画像データを録画する録画手段と、前記遅延されたデジタル信号に対応するデータを、前記動画像データの録画時を挿んで連続的に再生する手段と、前記録画及び前記再生を停止させる手段と、録画された動画像データを、前記設定手段により設定された前記再生時間だけ連続的に再生する手段と、前記録画を途中で停止させる手段と、を備えていることを特徴とする映像遅延表示システムを提供するものである。
【００２３】
このように構成することにより、デジタルカメラで撮影して得られた映像信号等の遅延時間を任意に設定することが可能となり、また、ユーザの操作を介入させることなく、ゴルフ等のスポーツのフォーム確認ができる便利な映像遅延表示システムを提供することができる。
【００２４】
また、前記映像遅延表示システムにおいて、前記遅延手段は、前記設定手段により設定された遅延時間が所定の一定値を超えない時には半導体メモリで構築されたシフトレジスタを使用し、前記遅延時間が所定の一定値を超える時にはハードディスク駆動装置を使用することを特徴とする。このように構成することにより、半導体メモリで構築されたシフトレジスタと、ハードディスク駆動装置との、各遅延動作における特性を考慮し、両者の利点を活かして、遅延時間の長短に関わらず正確な映像遅延動作を可能にする映像遅延表示システムを提供することができる。
【００２５】
また、前記映像遅延表示システムにおいて、前記情報記憶媒体を内蔵した記憶装置は、ＵＳＢ規格に対応した接続端子を有する装置であることを特徴とする。このように構成することにより、この記憶装置を、例えばパソコンに装填する（差し込む）だけで、情報記憶媒体に記憶されているプログラム（ソフトウェア）を、このパソコン上で自動的に起動させて実行させることができる。
【００２６】
さらに、前記映像遅延表示システムにおいて、前記コンピュータは、携帯端末装置であるか、若しくは屋外に搬出可能なコンピュータであることを特徴とする。
【００２７】
このように構成することにより、電源設備の無い屋外（野外を含む）にあっても本システムを使用することが可能となり、また、ＨＤＤに記憶された映像データを携帯電話網等の通信回線を介して他システムに送信することが可能となる。
【００２８】
また、本発明は、被写体を撮影して得られる動画像データ等に対応したデジタル信号を遅延する手段を備えた映像遅延表示システムを制御するためのコンピュータプログラムにおいて、少なくとも、前記デジタル信号の遅延時間、及び前記デジタル信号に対応したデータの再生時間を、ユーザに設定させるための設定ステップと、遅延時間に対応した複数の遅延ステップと、前記複数の遅延ステップの内、前記設定手段により設定された前記遅延時間に適した遅延ステップを選択するステップと、前記デジタル信号を、前記選択された遅延ステップにより、前記遅延時間だけ遅延するステップと、前記動画像データを録画する録画ステップと、前記遅延されたデジタル信号に対応するデータを、前記動画像データの録画時を挿んで連続的に再生するステップと、前記録画及び前記再生を停止させるステップと、録画された動画像データを、前記設定ステップにより設定された前記再生時間だけ連続的に再生するステップと、前記録画を途中で停止させるステップと、を備えていることを特徴とするコンピュータプログラムを提供するものである。
【００２９】
また、前記コンピュータプログラムにおいて、前記遅延ステップは、前記設定ステップの実行により設定された遅延時間が所定の一定値を超えない時には半導体メモリで構築されたシフトレジスタを制御し、前記遅延時間が所定の一定値を超える時にはハードディスク駆動装置を制御することを特徴とする。
【００３０】
また、前記コンピュータプログラムは、ＵＳＢ規格対応の接続端子を有する記憶装置に内蔵された情報記憶媒体に記憶されていることを特徴とする。
【００３１】
さらに、前記コンピュータプログラムは、携帯端末装置上、若しくは屋外に搬出可能なコンピュータ上で実行されることを特徴とする。
【００３２】
また、本発明は、請求項５乃至８のいずれか１項に記載のコンピュータプログラムを記憶していると共に、コンピュータに装填された時に検知されて前記コンピュータプログラムを前記コンピュータ内で起動させる機能を有する記憶装置に内蔵されていることを特徴とする情報記憶媒体を提供するものである。
【００３３】
また、前記情報記憶媒体において、前記記憶装置は、ＵＳＢ規格に対応した接続端子を有する装置であることを特徴とする。
【００３４】
さらに、前記情報記憶媒体において、前記コンピュータは、携帯端末装置であるか、若しくは屋外に搬出可能なコンピュータであることを特徴とする。
【発明の効果】
【００３５】
本発明の映像遅延表示システムによれば、デジタルカメラで撮影して得られた映像信号等の遅延時間を任意に設定することが可能となり、また、ユーザの操作を介入させることなく、ゴルフ等のスポーツのフォーム確認ができる便利な映像遅延表示システムを提供することができる。
【００３６】
また、特に、半導体メモリで構築されたシフトレジスタと、ハードディスク駆動装置との、各遅延動作における特性を考慮し、両者の利点を活かして、遅延時間の長短に関わらず正確な映像遅延動作を可能にする映像遅延表示システムを提供することができる。
【００３７】
また、ＵＳＢ規格対応の記憶装置を、例えばパソコンに装填する（差し込む）だけで、情報記憶媒体に記憶されているプログラム（ソフトウェア）を、このパソコン上で自動的に起動させて実行させることができる映像遅延表示システムを提供することができる。
【００３８】
さらに、使用するコンピュータを、携帯端末装置、若しくは屋外に搬出可能なコンピュータとすることにより、電源設備の無い屋外（野外を含む）にあっても使用可能となり、また、得られた音声データと画像データとを携帯電話網等の通信回線を介して他システムに送信することが可能な映像遅延表示システムを提供することができる。
【発明を実施するための最良の形態】
【００３９】
以下、図面を参照して、本発明の実施の形態について詳細に説明する。
尚、それぞれの実施形態の説明では、本発明に係る映像遅延表示システムについて詳述するが、本発明に係るコンピュータプログラムについては、映像遅延表示システムに含まれる各構成要素として実現するためのプログラムであることから、当該プログラムに関する説明は以下の説明に含まれる。また、本発明に係る情報記憶媒体については、前記プログラムを記録した記録媒体であることから、当該情報記憶媒体に関する説明も以下の説明に含まれる。
【００４０】
図１は、本発明の実施形態に係る映像遅延表示システムの全体構成を示すものである。図１に示すように、本実施形態に係る映像遅延表示システムは、映像データ等の処理を行う携帯端末装置１と、映像データ等の処理を制御するプログラムを記憶するＵＳＢメモリ２と、被写体を撮影する通常のデジタルビデオカメラ３と、被写体を撮影するＵＳＢカメラ４と、から構成される。
【００４１】
携帯端末装置１は、デジタルカメラ付き携帯電話を範疇に含む携帯可能な端末装置、若しくは屋外（野外）に簡単に搬出できる端末装置とする。携帯端末装置１の構成については図２を参照して後述するが、ＵＳＢ規格対応のコネクタを介して接続される機器を自動認識する機能（プラグ・アンド・プレイ）を備えるものとする。
【００４２】
ＵＳＢメモリ２は、ＵＳＢ規格対応のコネクタに直付けで接続された情報記憶媒体を内蔵する。デジタルビデオカメラ３は、ＩＥＥＥ１３９４規格対応のデジタルビデオカメラとする。ＵＳＢカメラ４は、ＵＳＢ規格対応のデジタルビデオカメラとする。尚、この実施形態では、撮影手段として、デジタルビデオカメラ３と、ＵＳＢカメラ４とを両方とも備える構成としたが、一般に、本発明では、いずれか一方だけを備える構成であってもよい。
【００４３】
携帯端末装置１は、ＵＳＢメモリ装置２が装填されたことを自動認識し、このメモリ装置に記憶されているプログラムを起動して、デジタルビデオカメラ３またはＵＳＢカメラ４で撮影される被写体の映像信号を処理する。この処理には、この映像信号に対応する映像データの録画処理、遅延処理、リアルタイム再生処理、及び遅延再生処理が含まれる。
【００４４】
図２は、本発明の実施形態に係る映像遅延表示システムが備える携帯端末装置の一構成例を示すものである。図２に示す携帯端末装置１は、全体を制御するＣＰＵ１１と、ＣＰＵ１１の制御プログラムや処理中のデータを格納するＲＡＭ１２と、ＣＰＵ１１に供給されるデータを格納するＲＯＭ１４と、映像データ等を記録するためのＨＤＤ（ハードディスク駆動装置）１４と、映像データを再生（表示）する表示部１５と、映像信号を表示可能な映像データに変換する表示用インターフェース１６と、ユーザの指令やデータを入力するための操作部１７と、ユーザの指令やデータを内部コードに変換する操作用インターフェース１８と、ＩＥＥＥ１３９４規格に基づいて入力された映像信号をデジタル内部信号（映像データ）に変換するＩＥＥＥ１３９４インターフェース１９と、ＵＳＢ規格に基づいて入力された映像信号をデジタル内部信号（映像データ）に変換するＵＳＢインターフェース１１０と、を備える。
【００４５】
表示部１５は、ＣＲＴディスプレイ、液晶ディスプレイ（ＬＣＤ；Liquid
Crystal Display）、エレクトロルミネセンス（ＥＬ：Electro luminescence）ディスプレイ、またはプラズマディスプレイパネル（ＰＤＰ；Plasma
Display Panel）等を使用して構成することができる。操作部１７は、文字キー、エンターキー、及びファンクションキー等からなるキーボードや、マウス、タッチパッド、及びペンデバイス等のポインティングデバイスなどを有することができる。
【００４６】
以下、本実施形態に係る映像遅延表示システムの機能を説明する。
【００４７】
携帯端末装置１は、ＵＳＢ規格対応のコネクタを介して接続される機器を自動認識する機能を備えているので、ＵＳＢメモリ２が前記コネクタを介して接続された時に、このメモリに記憶されているプログラムを実行可能領域にローディングすると共に、ＯＳ（オペレーティングシステム）が、このプログラムに実行権を付与し、制御の流れを当該プログラムの開始番地に移す。これにより、以後、携帯端末装置１のＣＰＵ１１（図２）による制御は、当該プログラムによって実行される（よって、以下で説明するＣＰＵ１１の処理は当該プログラムによって制御されるものである）。
【００４８】
図３は、本実施形態に係る映像遅延表示システムで表示されるオープニング画面を示す。最初に、ＣＰＵ１１は、図３に示すオープニング画面を表示部１５に表示する。図３に示すように、このオープニング画面は、当該画面のタイトル（ここでは「スポーツミラー」）を表示するための領域（符号５１）と、ユーザに伝達するメッセージ（ここでは「ビデオデバイスが複数見つかりました。選択してください。」を表示するためのメッセージ領域（符号５２）と、使用可能なカメラデバイスのメニュー（ここでは「ＤＶデバイス／ＵＳＢカメラ」）を表示してユーザにカメラデバイスを選択してもらうためのデバイス選択領域（符号５３）と、合図サイン（ここでは「ＯＫ」）を表示してユーザに実行可能の合図を指示してもらうための実行準備確認領域（符号５４）と、本システムのロゴを表示するためのロゴ表示領域（符号５５）と、を有する。
【００４９】
ユーザは、この画面が指示するところに従って、デバイス選択領域５３の使用するカメラデバイスをペンデバイス等のポインティングデバイスで押下して選択し、撮影準備が完了したことを確認してから、「ＯＫ」が表示されている実行準備確認領域５４をペンデバイス等のポインティングデバイスで押下する。これにより、ＣＰＵ１１は、図４に示す設定画面を表示部１５に表示する。
【００５０】
図４は、本実施形態に係る映像遅延表示システムで表示される遅延設定画面を示す。図４に示すように、この遅延設定画面では、撮影により得られた映像データが遅延されて表示される遅延表示画面６１と、撮影により得られた映像データをリアルタイムで表示するリアルタイム表示画面６２（プレビュー画面）と、設定された映像信号の遅延時間を表示する遅延時間表示部６３と、録画開始する時にユーザが押下する録画開始ボタン６１１と、処理を終了するときにユーザが押下する終了ボタン６１２と、設定画面から操作に関する表示を隠すときにユーザが押下する表示隠蔽ボタン６１３と、リアルタイム表示画面６２（プレビュー画面）を当該設定画面の四隅のいずれに配置するかを指定するためのプレビュー位置選択ボタン６１５と、設定画面の左右を反転するための左右反転ボタン６１６と、映像信号を遅延させる時間を指定するための遅延時間設定スライダーバー６１７と、が表示される。
【００５１】
ユーザは、この遅延設定画面を介して、プレビュー画面の表示位置、映像信号の遅延時間等を設定し、録画準備が完了したことを確認してから、録画開始ボタン６１１を押下する。これにより、ＣＰＵ１１は、図５に示す録画中画面を表示部１５に表示する。
【００５２】
図５は、本実施形態に係る映像遅延表示システムで表示される録画中画面を示す。図５に示す録画中画面では、「録画中」を示す表示と共に、録画中の遅延画面６１（設定した遅延時間に達するまでは何も写らない）が表示される。なお、この時、録画中のプレビュー画面も表示することができる（図示は省略）。また、この画面では、操作関係の表示として録画停止ボタン６２１が表示される。この録画停止ボタン６２１は、録画を停止して、前述の録画した映像データ、若しくは過去に録画した映像データファイルを再生するときにユーザが押下するボタンである。このボタンが押下されると、録画処理は終了し、動画再生・設定処理（後述）に移行し、ＣＰＵ１１は、図６に示す動画再生・設定画面を表示部１５に表示する。
【００５３】
図６は、本実施形態に係る映像遅延表示システムで表示される録画中画面を示す。図６に示すように、この動画再生・設定画面では、遅延設定画面に戻す時にユーザが押下する戻しボタン６３１と、処理を終了するときにユーザが押下する終了ボタン６３２と、設定画面から操作に関する表示を隠すときにユーザが押下する表示隠蔽ボタン６３３と、現在の録画ファイル及び過去の録画ファイルを合わせて９画面分の映像ファイルを同時に再生するときにユーザが押下する９画面モード再生ボタン６３４と（後述する図８参照）、再生する映像データを過去の録画ファイルから選択するときにユーザが押下するファイル選択ボタン６３５と（後述する図７参照）、再生速度を設定するための再生速度設定スライダーバー６３６と、再生時間（幅）を設定するための再生時間設定スライダーバー６３７と、再生／一時停止を行うときにユーザが押下する再生・一時停止ボタン６３８と、が表示される。
【００５４】
上記戻しボタン６３１が押下されると、前述の遅延設定画面（図４）が再び表示される。また、再生・一時停止ボタン６３８は、ここでは再生開始ボタンとして機能し、よって、このボタンが押下されると、現在の録画ファイルの再生が開始される。この後、再生・一時停止ボタン６３８が押下されると、この再生は一時停止される。終了ボタン６３２が押下されると、いつでも処理が終了となる。
【００５５】
図７は、本実施形態に係る映像遅延表示システムで表示されるファイル選択画面を示す。図７に示すように、このファイル選択画面では、過去に録画した動画ファイル（録画時の時刻等で示される）の表示と共に、操作に関する表示として、図６に示す操作に関する表示と同じ表示がなされる。但し、戻しボタン６３１が押下されると、前述の動画再生・設定画面（図６）が表示される。
【００５６】
図８は、本実施形態に係る映像遅延表示システムで表示される９画面モード再生画面を示す。図８に示すように、この９画面モード再生画面では、過去に録画した９本の動画ファイル（録画時の時刻等で示される）の同時再生画面と共に、操作に関する表示として、図６に示す操作に関する表示と同じ表示がなされる。但し、戻しボタン６３１が押下されると、前述の動画再生・設定画面（図６）が表示される。
【００５７】
図９は、本実施形態に係る映像遅延表示システムにおける映像データの遅延処理時の流れを示すものである。図９では、映像データを遅延する遅延装置としてＲＡＭで構成されるシフトレジスタを使用するケース（設定された遅延時間が短い場合）を示している。また、被写体の撮影にはデジタルカメラ３が使用されている。デジタルカメラ３から出力された映像信号は、ＩＥＥＥ１３９４インターフェース１９によってデジタル内部信号に変換され、ＨＤＤ１４に記憶されると共に、表示用インターフェース１６を介して表示部１５にプレビュー画面として表示される。同時に、このデジタル内部信号は、遅延装置であるＲＡＭ１２に入力され、その出力が取り出されて、表示用インターフェース１６を介して表示部１５で遅延画面として再生される。
【００５８】
図１０は、本実施形態に係る映像遅延表示システムにおける映像データの遅延処理時の流れを示すものである。図１０では、映像データを遅延する遅延装置としてＨＤＤで構成されるシフトレジスタを使用するケース（設定された遅延時間が短い場合）を示している。また、被写体の撮影にはデジタルカメラ３が使用されている。このデジタルカメラ３から出力された映像信号は、ＩＥＥＥ１３９４インターフェース１９によってデジタル内部信号に変換され、遅延装置として機能するＨＤＤ１４Ｗ（書き込み用ヘッドと読み出し用ヘッドとを独立に備えたＨＤＤ）に記憶されると共に、表示用インターフェース１６を介して表示部１５にプレビュー画面として表示される。また、ＨＤＤ１４Ｗの読み出し用ヘッドで読み取られたデジタル内部信号は、表示用インターフェース１６を介して表示部１５で遅延画面として再生される。
【００５９】
図１１は、本実施形態に係る映像遅延表示システムにおける映像データの遅延装置の原理を示すものである。図１１に示す遅延装置は、半導体メモリ（ＲＡＭ）を使用したシフトレジスタで構成される。このシフトレジスタのフリップフロップＤＦＦ１〜ＤＦＦｎは、全てＤ型フリップフロップである。この遅延装置では、クロックＣＰの周期×（フリップフロップの段数）だけの遅延時間を実現することができる。出力信号Ｓｔ１〜Ｓｔｎは、それぞれ遅延時間設定回路（図示は省略）からの出力信号によって制御されるゲートに入力され、このゲートの出力信号が、この遅延装置の出力（デジタル内部信号）となる。
【００６０】
図１２は、本実施形態に係る映像遅延表示システムにおける映像データの他の遅延装置の原理を示すものである。図１２に示す遅延装置は、書き込み用ヘッドと読み出し用ヘッドとを独立に備えたＨＤＤによって構成される。書き込み用ヘッドＨＷが書き込むトラックＴｎは、読み出し用ヘッドＨＲが読み出すトラックＴｉよりも設定された遅延時間分だけ先行しているトラックである。
【００６１】
図１３及び図１４は、本実施形態に係る映像遅延表示システムにおける処理の流れを示すフローチャートである。図１３において、最初に、ＣＰＵ１１は、ＲＡＭ１２からローディングした内部プログラムによって制御されている。ここで、ユーザが、ＵＳＢメモリ装置２を携帯端末装置１に装填する（ステップＳ１）と、ＣＰＵ１１は、ＵＳＢメモリ装置２が装填されたことを自動認識し、ＵＳＢメモリ装置２に記憶されている映像処理関係のプログラムをコアの実行領域にローディングする（ステップＳ２）。次に、ＣＰＵ１１（のＯＳ）は、このローディングした映像処理関係のプログラムに実行権を与え、制御の流れを、このプログラムの開始番地に移す（ステップＳ３）。次に、ＣＰＵ１１は、オープニング画面（図３）を表示部１５に表示する（ステップＳ４）。
【００６２】
このオープニング画面を介して、ユーザは、カメラデバイスを選択する（ステップＳ５）。次に、ユーザは、このオープニング画面を介して、録画準備ＯＫを合図する（ステップＳ６）。これにより、ＣＰＵ１１は、遅延設定画面（図４）を表示部１５に表示する（ステップＳ７）。この遅延設定画面を介して、ユーザは、遅延時間等を設定する（ステップＳ８）。これにより、ＣＰＵ１１は、設定された遅延時間に適した遅延装置を選択し、利用可能にする（ステップＳ９）。
【００６３】
遅延時間等を設定したユーザは、引き続き、録画開始ボタンを押下する（ステップＳ１０）。これにより、ＣＰＵ１１は、録画中画面（図５）を表示部１５に表示する（ステップＳ１１）。引き続き、ＣＰＵ１１は、撮影された映像データをＨＤＤに録画し、プレビュー画面として表示部１５に表示する。同時に、この映像データを選択した遅延装置に入力する。また、この遅延装置の出力を、遅延画面として表示部１５に表示する（ステップＳ１２）。
【００６４】
次に、ＣＰＵ１１は、録画停止ボタン６２１が押下されたか否かを検証し、録画停止ボタン６２１が押下されていない場合はステップＳ１２に戻り、録画停止ボタン６２１が押下された場合はステップＳ１４に進む（ステップＳ１３）。ステップＳ１４では、ＣＰＵ１１は、動画再生・設定画面（図６）を表示部１５に表示する。引き続き、ＣＰＵ１１は、戻しボタン６３１が押下されたか否かを検証し、戻しボタン６３１が押下された場合はステップＳ７に戻り、戻しボタン６３１が押下されていない場合はステップＳ１６（図１４）に進む（ステップＳ１５）。ステップＳ１６では、ユーザは、前述の動画再生・設定画面を介して、再生時間、再生速度等を設定する。
【００６５】
その後、ＣＰＵ１１は、ファイル選択ボタンが押下されたか否かを検証し、ファイル選択ボタンが押下された場合はステップＳ１８に進み、ファイル選択ボタンが押下されていない場合はステップＳ２０に移る（ステップＳ１５）。ステップＳ１８では、ＣＰＵ１１は、ファイル選択画面（図７）を表示部１５に表示する。このファイル選択画面を介して、ユーザは、再生刷るファイルを選択する（ステップＳ１９）。これにより、制御の流れはステップＳ２２に移る。ステップＳ２０では、ＣＰＵ１１は、９画面モードボタンが押下されたか否かを検証し、９画面モードボタンが押下された場合はステップＳ２１に進み、９画面モードボタンが押下されていない場合はステップＳ２０に移る。
【００６６】
ステップＳ２１では、ＣＰＵ１１は、９画面モード再生画面（図８）を表示部１５に表示し、ステップＳ２２に進む。ステップＳ２２では、ＣＰＵ１１は、戻しボタン６３１が押下されたか否かを検証し、戻しボタン６３１が押下された場合はステップＳ１４（図１３）に戻り、戻しボタン６３１が押下されていない場合はステップＳ２３に進む。
【００６７】
ステップＳ２３では、ユーザは、再生ボタンを押下する。その直後に、ＣＰＵ１１は、もう一度、戻しボタン６３１が押下されたか否かを検証し、戻しボタン６３１が押下された場合はステップＳ１４（図１３）に戻り、戻しボタン６３１が押下されていない場合はステップＳ２５に進む。ステップＳ２５では、ＣＰＵ１１は、動画の再生を開始する。なお、再生される動画の映像データは、現在の録画ファイル、若しくは過去の録画ファイルから選択されたものである。次に、ＣＰＵ１１は、設定された再生時間が経過したか否かを検証し、設定された再生時間が経過した場合は処理を終了し、設定された再生時間が経過していない場合はステップＳ２７に進む（ステップＳ２６）。
【００６８】
ステップＳ２７では、ＣＰＵ１１は、終了ボタンが押下されたか否かを検証し、終了ボタンが押下された場合は処理を終了し、終了ボタンが押下されていない場合はステップＳ２８に進む。ステップＳ２８では、ＣＰＵ１１は、一時停止ボタンが押下されたか否かを検証し、一時停止ボタンが押下された場合はステップＳ２９に進み、一時停止ボタンが押下されていない場合はステップＳ２４に戻る。ステップＳ２９では、ＣＰＵ１１は、動画の再生を一時停止する。その後、ＣＰＵ１１は、再生ボタンが押下されるまで待機し、再生ボタンが押下されるとステップＳ２４に戻る（ステップＳ３０）。
【００６９】
ところで、ステップＳ７で遅延設定画面（図４）が表示された後、ユーザが終了ボタン６１２を押下することにより、いつでも処理を終了させることができる。また、ステップＳ１４で動画・再生画面（図６）が表示部１５に表示された後、ユーザが終了ボタン６３２を押下することにより、いつでも処理を終了させることができる。
【００７０】
この実施形態では、ステップＳ１３で録画停止ボタン６２１の押下を検証し、録画停止ボタン６２１が押下された場合は、ステップＳ１４にて、直ちに動画再生・設定画面を表示して動画の再生ステップに移行する構成としたが、録画停止ボタン６２１が押下された場合は、録画を停止するだけにして、その後、再生ステップに移行する場合には、ユーザからの他の合図が必要なように構成してもよい。
【産業上の利用可能性】
【００７１】
本発明は、デジタルカメラ等から送出される映像データ（以下、音声データを含むものとする）をリアルタイムでＨＤＤ（ハードディスク駆動装置）に記憶して再生することすると共に、任意の設定時間だけ遅延して再生する映像遅延表示システムに関するものであり、産業上の利用可能性を有する。
【図面の簡単な説明】
【００７２】
【図１】本発明の実施形態に係る映像遅延表示システムの全体構成を示す。
【図２】本発明の実施形態に係る映像遅延表示システムが備える携帯端末装置の一構成例を示す。
【図３】本実施形態に係る映像遅延表示システムで表示されるオープニング画面を示す。
【図４】本実施形態に係る映像遅延表示システムで表示される遅延設定画面を示す。
【図５】本実施形態に係る映像遅延表示システムで表示される録画中画面を示す。
【図６】本実施形態に係る映像遅延表示システムで表示される録画中画面を示す。
【図７】本実施形態に係る映像遅延表示システムで表示されるファイル選択画面を示す。
【図８】本実施形態に係る映像遅延表示システムで表示される９画面モード再生画面を示す。
【図９】本実施形態に係る映像遅延表示システムにおける映像データの遅延処理時の流れを示す。
【図１０】本実施形態に係る映像遅延表示システムにおける映像データの遅延処理時の流れを示す。
【図１１】本実施形態に係る映像遅延表示システムにおける映像データの遅延装置の原理を示す。
【図１２】本実施形態に係る映像遅延表示システムにおける映像データの他の遅延装置の原理を示す。
【図１３】本実施形態に係る映像遅延表示システムにおける処理の流れを示すフローチャート（１／２）である。
【図１４】本実施形態に係る映像遅延表示システムにおける処理の流れを示すフローチャート（２／２）である。
【符号の説明】
【００７３】
１：携帯端末装置
２：ＵＳＢメモリ装置
３：デジタルビデオカメラ
４：ＵＳＢカメラ
１１：ＣＰＵ
１２：ＲＡＭ
１３：ＲＯＭ
１４：ＨＤＤ
１５：表示部
１６：表示用インターフェース
１７：操作部
１８：操作用インターフェース
１９：ＩＥＥＥ１３９４インターフェース
１１０：ＵＳＢインターフェース
【図１】
2006324722.tif 000003
【図２】
2006324722.tif 000004
【図３】
2006324722.tif 000005
【図４】
2006324722.tif 000006
【図５】
2006324722.tif 000007
【図６】
2006324722.tif 000008
【図７】
2006324722.tif 000009
【図８】
2006324722.tif 000010
【図９】
2006324722.tif 000011
【図１０】
2006324722.tif 000012
【図１１】
2006324722.tif 000013
【図１２】
2006324722.tif 000014
【図１３】
2006324722.tif 000015
【図１４】
2006324722.tif 000016